(57)【要約】【課題】電力制御を必要としない簡単な構成で必要に応じた薬剤供給を可能とする水処理装置を提供することを目的とする。【解決手段】水に含まれる濁質成分を除去するための水処理装置１であって、水処理装置１は、ろ材を内部に収納して水の出し入れを行うケーシング７と、ケーシング７の開口８を閉塞し、複数の水路を切替可能なバルブ９と、被処理水に薬剤１４を供給するための薬剤供給手段１０とを有し、バルブ９は、ろ過処理、逆洗浄処理、すすぎ処理に対応して水路を選択的に切替可能な水路切替手段１１を有し、薬剤供給手段１０は、薬剤保持部１２と、ケーシング７の内側空間内に薬剤１４を供給するための薬剤出口１３とを有し、薬剤供給手段１０からの薬剤供給が、水路切替手段１１の操作に機構的に連動して行われるようにした。【選択図】図１
2017148756.tif 000002
【特許請求の範囲】
【請求項１】
水に含まれる濁質成分を除去するための水処理装置であって、
前記水処理装置は、
ろ材を内部に収納して水の出し入れを行うケーシングと、
前記ケーシングの開口を閉塞し複数の水路を切替可能なバルブと、
被処理水に薬剤を供給するための薬剤供給手段と、を有し、
前記バルブは、ろ過処理、逆洗浄処理、すすぎ処理に対応して水路を選択的に切替可能な水路切替手段を有し、
前記薬剤供給手段は、薬剤保持部と、前記ケーシングの内側空間内に薬剤を供給するための薬剤出口と、を有し、
前記薬剤供給手段からの薬剤供給が、前記水路切替手段の操作に連動して行われることを特徴とする水処理装置。
【請求項２】
前記薬剤供給手段からの薬剤供給は、逆洗浄処理またはすすぎ処理の際に行われる請求項１に記載の水処理装置。
【請求項３】
前記薬剤供給手段からの薬剤供給は、逆洗浄処理またはすすぎ処理が複数回実施されるごとに行われる請求項２に記載の水処理装置。
【発明の詳細な説明】
【技術分野】
【０００１】
本発明は、井戸の水または貯水槽へ蓄えた水等に含まれる濁質成分の除去などにより水の浄化を行う水処理装置に関するものである。
【背景技術】
【０００２】
従来、この種の水処理装置は、ろ過処理時や逆洗浄処理時にろ材表面に凝集剤を付着する凝集剤付着工程を有する水処理装置が知られている（例えば、特許文献１参照）。
【０００３】
以下、その水処理装置について図４を参照しながら説明する。
【０００４】
水処理装置１０１は、ろ過器１０４と、処理水タンク１０５と、第一凝集剤ポンプ１０６と、第二凝集剤ポンプ１０７と、第一制御手段１０８と、第二制御手段１０９からなる。ろ過処理の際に、配管１０２を吸い込み側に接続する電動式ポンプ１０３により汲み上げられた原水に、まず、第一制御手段１０８で駆動制御された第一凝集剤ポンプ１０６により凝集剤が添加され、次に、ろ過器１０４に収納されたろ材１１０の上側から下側に流れる下向流の通水により原水の浄化が行われる。
【０００５】
また、逆洗浄処理の際に、処理水タンク１０５の水に、まず、第二制御手段１０９で駆動制御された第二凝集剤ポンプ１０７により凝集剤が添加され、次に、ろ過器１０４に収納されたろ材１１０の下側から上側に流れる上向流の通水によりろ材１１０の逆洗浄が行われて排水される。逆洗浄に用いられる処理水タンク１０５の水には凝集剤が添加されているので、逆洗浄処理時にはろ材表面に凝集剤が付着する。
【先行技術文献】
【特許文献】
【０００６】
【特許文献１】特許第４８００４６２号公報
【発明の概要】
【発明が解決しようとする課題】
【０００７】
このような従来の水処理装置においては、凝集剤などの薬剤の添加が制御手段を用いて行われる構成となっており、電気的な制御機構や設置のための電気配線を必要とするので、水処理装置の構造が複雑になるという課題を有していた。
【０００８】
そこで本発明は、上記従来の課題を解決するものであり、電力制御を必要としない簡単な構成で薬剤供給を可能にした水処理装置を提供することを目的とする。
【課題を解決するための手段】
【０００９】
そして、この目的を達成するために、本発明は、水に含まれる濁質成分を除去するための水処理装置であって、前記水処理装置は、上部を開口し、ろ材を内部に収納して水の出し入れを行うケーシングと、前記開口を閉塞し、複数の水路を切替可能なバルブと、被処理水に薬剤を供給するための薬剤供給手段と、を有し、前記バルブは、ろ過処理、逆洗浄処理、すすぎ処理に対応して水路を選択的に切替可能な水路切替手段を有し、前記薬剤供給手段は、薬剤保持部と、前記ケーシングの内側空間内に薬剤を供給するための薬剤出口と、を有し、前記薬剤供給手段からの薬剤供給が、前記水路切替手段の操作に機構的に連動して行われることを特徴としたものであり、これにより所期の目的を達成するものである。
【発明の効果】
【００１０】
本発明によれば、上部を開口し、ろ材を内部に収納して水の出し入れを行うケーシングと、前記開口を閉塞し、複数の水路を切替可能なバルブと、被処理水に薬剤を供給するための薬剤供給手段と、を有し、前記バルブは、ろ過処理、逆洗浄処理、すすぎ処理に対応して水路を選択的に切替可能な水路切替手段を有し、前記薬剤供給手段は、薬剤保持部と、前記ケーシングの内側空間内に薬剤を供給するための薬剤出口と、を有し、前記薬剤供給手段からの薬剤供給が、前記水路切替手段の操作に機構的に連動して行われる構成にしたことにより、ろ過処理、逆洗浄処理、すすぎ処理の水路のうち、薬剤の供給が必要となる水路に切り替える際の前記水路切替手段の操作に機構的に連動して薬剤が供給されるので、電力制御を必要としない簡単な構成で薬剤供給が可能になるという効果を得ることができる。
【図面の簡単な説明】
【００１１】
【図１】本発明の水処理装置の構成を示す模式図
【図２】（ａ）本発明のろ過処理の際のバルブ内の水路を示す模式図、（ｂ）本発明の逆洗浄処理の際のバルブ内の水路を示す模式図、（ｃ）本発明のすすぎ処理の際のバルブ内の水路を示す模式図
【図３】（ａ）本発明のろ過処理の際のバルブの機構を示す模式図、（ｂ）本発明の逆洗浄処理の際のバルブの機構を示す模式図、（ｃ）本発明のすすぎ処理の際に薬剤が供給される場合のバルブの機構を示す模式図、（ｄ）本発明のすすぎ処理の際に薬剤が供給されない場合のバルブの機構を示す模式図
【図４】従来の水処理装置の構成を示す模式図
【発明を実施するための形態】
【００１２】
本発明の請求項１記載の水処理装置は、水に含まれる濁質成分を除去するための水処理装置であって、前記水処理装置は、上部を開口し、ろ材を内部に収納して水の出し入れを行うケーシングと、前記開口を閉塞し、複数の水路を切替可能なバルブと、被処理水に薬剤を供給するための薬剤供給手段と、を有し、前記バルブは、ろ過処理、逆洗浄処理、すすぎ処理に対応して水路を選択的に切替可能な水路切替手段を有し、前記薬剤供給手段は、薬剤保持部と、前記ケーシングの内側空間内に薬剤を供給するための薬剤出口と、を有し、前記薬剤供給手段からの薬剤供給が、前記水路切替手段の操作に機構的に連動して行われることを特徴としたものである。これにより、ろ過処理、逆洗浄処理、すすぎ処理の水路のうち、薬剤の供給が必要となる水路に切り替える際の前記水路切替手段の操作に機構的に連動して薬剤が供給されるので、電力制御を必要としない簡単な構成で薬剤供給が可能になるという効果を奏する。
【００１３】
また、前記薬剤供給手段からの薬剤供給が、逆洗浄処理またはすすぎ処理の際に行われるようにしてもよい。これにより、薬剤の供給が必要となる逆洗浄処理またはすすぎ処理に合わせて薬剤を供給することができるので、電力制御を必要としない簡単な構成で、必要な処理に対応して薬剤供給が可能になるという効果を奏する。
【００１４】
また、前記薬剤供給手段からの薬剤供給が、逆洗浄処理またはすすぎ処理が複数回実施されるごとに行われるようにしてもよい。これにより、逆洗浄処理、または、すすぎ処理に水路に切り替える際で、かつ、薬剤の供給が必要なタイミングで薬剤を供給することができるので、電力制御を必要としない簡単な構成で、必要な処理に対応して必要なタイミングで薬剤供給が可能になるという効果を奏する。
【００１５】
以下、本発明の実施の形態について図面を参照しながら説明する。
【００１６】
（実施の形態）
図１は、本発明の水処理装置の構成を側面視で示す模式図である。
【００１７】
図１に示すように、水処理装置１は、貯水である井戸の水または貯水槽へ蓄えた水を水源として浄化するものであって、前記水源に接続された配管２に繋がる電動式ポンプ３により汲み上げられた原水に含まれる濁質成分を除去するものである。
【００１８】
電動式ポンプ３は、井戸の水または貯水槽へ蓄えた水を吸い上げ、吐出する電動機で駆動するポンプであって、例えば、渦巻きポンプ、タービンポンプなどの遠心ポンプや、渦流ポンプ（カスケードポンプ）、ジェットポンプ、軸流ポンプ、斜流ポンプなどがある。一般家庭で用いる場合、井戸の深さは、浅井戸であれば５メートルから１０メートル程度、深井戸であれば１０メートルから３０メートル以上吸い上げる必要があり、後段の配管や水処理装置の損失水頭を考慮すると、２０メートル以上の揚程があるものがよく、渦流ポンプやジェットポンプなどがより好ましい。電動式ポンプ３で吐出する流量は、例えば５リットルから５０リットル毎分程度であるが、一般家庭用であれば５リットルから２０リットル毎分程度の流量特性をもつものがより好ましい。
【００１９】
原水通路４、浄水通路５、および、排水通路６に用いられる配管は、電動式ポンプ３の水圧に耐えられる材質、構造であればよいが、耐久性、加工のしやすさから、例えば、塩化ビニル樹脂や鋼管、あるいは、これらの複合材料を用いた直管や配管継手が使用できる。なお、呼び径は損失水頭が低くなるよう大きい方が好ましく、例えば１５から５０ミリメートルのもので、厚みは１から５ミリメートル程度のものが好ましい。
【００２０】
水処理装置１は、電動式ポンプ３からの原水を水処理装置１に導く原水通路４と、水処理装置１により浄化された浄水を供給する浄水通路５と、水処理装置１を逆洗浄した排水を排出する排水通路６と、上部に開口８を有し、粒子状ろ材１５を内部に収納して水の出し入れを行うケーシング７と、開口８を閉塞し、複数の水路を切替可能なバルブ９と、被処理水に薬剤１４を供給するための薬剤供給手段１０とを備えている。
【００２１】
ケーシング７は、粒子状ろ材１５を内部に収納するとともに、バルブ９の中央部からケーシング７の底部へ向けて伸びた導出管２１と、導出管２１の上部および導出管２１の下部に上部ストレーナー２２と下部ストレーナー２３とを収納する。
【００２２】
導出管２１は、ろ過処理の際に浄水を下方から上方に排出するためのものであり、水頭損失が少なく、閉塞しにくいような管であればよい。例えば直径が２０ミリメートル以上の直管などが使用できる。材質は腐食しにくいものがよく、例えば樹脂、金属などが好ましい。
【００２３】
上部ストレーナー２２と下部ストレーナー２３は、ケーシング７内の粒子状ろ材１５が導出管２１から外部へ流出することを防止するためにそれぞれ配置したものである。すなわち、上部ストレーナー２２は、導出管２１の上端部に設置して逆洗浄処理の際に粒子状ろ材１５がケーシング７から流出しないようにするものであり、下部ストレーナー２３は、導出管２１の下端部に設置してろ過処理の際に粒子状ろ材１５がケーシング７から流出しないようにするためのものである。上部ストレーナー２２と下部ストレーナー２３は、メッシュ状、スリット状などの形状で、粒子状ろ材１５よりも開口幅が小さく０．３から１ミリメートルの細孔か隙間を持つものが使用できる。材質は、導出管２１と同様に腐食しにくいものがよく、例えば樹脂、金属などが好ましい。
【００２４】
バルブ９は、ろ過処理、逆洗浄処理、すすぎ処理に対応して水路を選択的に切替可能な水路切替手段１１を備えている。また、バルブ９は、原水接続口１６と、浄水接続口１７と、排水接続口１８と、バルブ外側接続口１９と、バルブ内側接続口２０とを備えている。
【００２５】
バルブ外側回転体２４は回転可能な状態でバルブ下側ふた２５に固定されている。バルブ下側ふた２５はケーシング７の開口８に固定されている。
【００２６】
薬剤供給手段１０は、薬剤保持部１２と、ケーシング７の内側空間内に薬剤１４を供給するための薬剤出口１３とを備えている。
【００２７】
ケーシング７、バルブ９、および、薬剤保持部１２は、電動式ポンプ３の出口側近くに設置することが一般的であるため、耐圧は使用する電動式ポンプ３の最高出力揚程以上の能力があることが好ましい。素材としては、金属、樹脂、あるいはガラス繊維で強化した樹脂などが好適であり、水に接するだけでなく、井戸がある屋外に設置して使用する場合があるため、十分な耐水性、耐候性を有し、また、使用する薬剤１４によって腐食しない耐腐食性を有することが要求される。
【００２８】
粒子状ろ材１５は、水処理装置１の性能を発揮するための最も基本となる部材である。粒子状ろ材１５は、約１マイクロメートル以上の粗大粒子や凝集物を捕捉して除去し、水に含まれる濁質成分を除去することを目的としている。粒子状ろ材１５は、例えば、砂、アンスラサイト、ガーネット、セラミックス、粒状活性炭、オキシ水酸化鉄、マンガン砂など、水中で沈降し、圧力で変形しにくい硬度をもつものであればよい。粒子径は、例えば、０．３ミリメートルから５．０ミリメートル、均等係数１．２から２．０などのものを用いるとよい。また、粒子状ろ材１５は、材質によって比重が異なり、例えば、砂であればおよそ２．５から２．７グラム毎立方センチメートル、アンスラサイトであれば、１．４から１．８グラム毎立方センチメートル、ガーネットであれば３．８から４．１グラム毎立方センチメートルである。
【００２９】
薬剤１４として、凝集剤、酸化剤が使用される。凝集剤は、水に含まれる濁質成分の粒子状ろ材１５への吸着を容易にさせるために添加され、凝集剤としては、ポリ塩化アルミニウム（ＰＡＣ）、硫酸バンド、ポリシリカ鉄（ＰＳＩ）などが使用されるが、前記効果を発揮するものであればこれらに限らない。酸化剤は、粒子状ろ材１５の表面に堆積した濁質成分を粒子状ろ材１５から剥離させるために添加され、酸化剤としては、次亜塩素酸ナトリウム、塩素、オゾンなどが使用されるが、前記効果を発揮するものであればこれらに限らない。逆洗浄処理の際は、薬剤１４として、粒子状ろ材１５の表面に堆積した濁質成分の剥離による洗浄効果を高めることができる酸化剤を使用することが好ましい。また、すすぎ処理の際は、薬剤１４として、粒子状ろ材１５の表面を、水に含まれる濁質成分の吸着効果を高めることができる凝集剤を使用することが好ましい。凝集剤を使用することで吸着効果が高まる理由は、水に含まれる濁質成分の表面電荷が、通常、負に帯電しており、凝集剤の添加により、粒子状ろ材１５の表面電荷を電気的な吸着効果が高い状態（ゼータ電位で、０〜−１０ｍＶ程度）にすることができるためである。
【００３０】
図２は、図１の水処理装置１におけるバルブ９を水処理装置１の上方から見た模式図でありバルブ９内の水路の接続状態を示している。図２（ａ）ろ過処理の際の模式図、図２（ｂ）逆洗浄処理の際の模式図、図２（ｃ）すすぎ処理の際の模式図である。図２において、図１と同様の構成要素については同一の符号を付し、その詳細な説明は省略する。
【００３１】
操作レバーとしての水路切替手段１１を備え、バルブ下側ふた２５に回転可能な状態で固定されたバルブ外側回転体２４は内部に水路を有している。バルブ下側ふた２５には原水通路４と浄水通路５および排水通路６の各通路をそれぞれ別の部位に固定している。水路切替手段１１を回転させるとバルブ外側回転体２４が回転するのでバルブ外側回転体２４の水路と各通路の接続状態を切り替えることができる。
【００３２】
水路切替手段１１の回転操作により、ろ過処理位置、逆洗浄処理位置、すすぎ処理位置に切り替えた際の水路と水の流れについて、図１および図２を用いて説明する。
（１）ろ過処理
上記構成において、ろ過処理は、水路切替手段１１をろ過処理位置に切り替えることで行われる。
【００３３】
ろ過処理の際、原水は、原水通路４を介して原水接続口１６からバルブ外側接続口１９に流れ、上部ストレーナー２２を通過した後に、ケーシング７の内側空間に供給される。次に、粒子状ろ材１５の上側から下側に通過し、この際に濁質成分が粒子状ろ材１５のろ過作用により除去される。さらに、下部ストレーナー２３を通過した後に、導出管２１の内側に流入する。最後に、バルブ内側接続口２０から浄水接続口１７に流れる。
【００３４】
図２（ａ）に示すように、原水通路４はバルブ外側回転体２４の外周部分の水路に原水接続口１６で接続され、原水通路４から供給された原水は、図示しないバルブ外側接続口１９に流入している。
【００３５】
同様に、図２（ａ）に示すように、浄水通路５はバルブ外側回転体２４の水路に浄水接続口１７で接続されている。ケーシング７の内側で粒子状ろ材１５のろ過作用により得られた浄水は、バルブ外側回転体２４の中央部分と外周部を接続する水路から浄水接続口１７を経由して浄水通路５へ流出する。
（２）逆洗浄処理
逆洗浄処理は、粒子状ろ材１５が目詰りしたときに、水路切替手段１１をろ過処理位置から逆洗浄処理位置に切り替えることで行われる。逆洗浄処理の際、原水は、まず、原水接続口１６からバルブ内側接続口２０に流れ、導出管２１の内側に流入する。次に、下部ストレーナー２３を通過した後に、粒子状ろ材１５の下側から上側に抜け、その際に粒子状ろ材１５の表面に堆積した濁質成分が剥離される。最後に、上部ストレーナー２２を通過した後に、バルブ外側接続口１９から排水接続口１８に流れ、排水通路６を介して装置系外に排水される。
【００３６】
図２（ａ）で示したろ過処理の状態から、水路切替手段１１を矢印で示す方向に反時計回りに９０度回転させることで図２（ｂ）に示す逆洗処理の状態に水路を切り替えることができる。
【００３７】
図２（ｂ）に示すように、原水通路４はバルブ外側回転体２４の中央部分と外周部を接続する水路に原水接続口１６で接続され、原水通路４から供給された原水は、図示しない導出管に流入している。
【００３８】
同様に、図２（ｂ）に示すように、排水通路６はバルブ外側回転体２４の外周部分の水路に排水接続口１８で接続されている。ケーシング７の内側で粒子状ろ材１５を洗浄した排水は、バルブ外側回転体２４の外周部分の水路から排水接続口１８を経由して排水通路６へ流出する。
（３）すすぎ処理
すすぎ処理は、逆洗浄処理が終了した後にケーシング７内の汚れた水を装置系外に排水するために行われ、水路切替手段１１を逆洗浄処理位置からすすぎ処理位置に切り替えることで行われる。すすぎ処理の際、原水は、まず、原水接続口１６からバルブ外側接続口１９に流れ、上部ストレーナー２２を通過した後に、ケーシング７の内側空間に供給される。次に、粒子状ろ材１５の上側から下側に抜ける。さらに、下部ストレーナー２３を通過した後に、導出管２１の内側に流入する。最後に、バルブ内側接続口２０から排水接続口１８に流れ、排水通路６を介して装置系外に排水される。
【００３９】
図２（ｂ）で示した逆洗処理の状態から、水路切替手段１１を矢印で示す方向に反時計回りに９０度回転させることで図２（ｃ）に示すすすぎ処理の状態に水路を切り替えることができる。
【００４０】
図２（ｃ）に示すように、原水通路４はバルブ外側回転体２４の中央部分と外周部を接続する水路に接続され、原水通路４から供給された原水は、図示しない上部ストレーナーに流入している。
【００４１】
同様に、図２（ｃ）に示すように、排水通路６はバルブ外側回転体２４の中央部分と外周部を接続する水路に排水接続口１８で接続されている。ケーシング７の内側で粒子状ろ材１５をすすぎ処理した排水は、バルブ外側回転体２４の水路から排水接続口１８を経由して排水通路６へ流出する。
【００４２】
図２（ｂ）で示したすすぎ処理の状態から、水路切替手段１１を矢印で示す方向に反時計回りに１８０度回転させることで図２（ａ）に示すろ過処理の状態に水路を切り替えることができる。
【００４３】
水路切替手段１１の回転操作は、水処理装置１における水に含まれる濁質成分の除去効果が所定のレベル以上を維持するように、一定期間ごとに行われるのが好ましい。一定期間ごとに行う際の操作手順としては、まず、水路切替手段１１をろ過処理位置から逆洗浄処理位置に切り替えて逆洗浄処理を行い、次に、水路切替手段１１を逆洗浄処理位置からすすぎ処理位置に切り替えてすすぎ処理を行い、最後に、水路切替手段１１をすすぎ処理位置からろ過処理位置に切り替えて元のろ過処理の状態に戻す。
【００４４】
図３は、図１の水処理装置１における薬剤供給にかかわるバルブ９の機構について、水処理装置１の上方から図示した概略図を示し、（ａ）ろ過処理の際の模式図、（ｂ）逆洗浄処理の際の模式図、（ｃ）すすぎ処理の際に薬剤が供給される場合、（ｄ）すすぎ処理の際に薬剤が供給されない場合の模式図である。図３において、図１と同様の構成要素については同一の符号を付し、その詳細な説明は省略する。
【００４５】
図３に示すように、バルブ９は、水路切替手段１１の回転操作により同時に回転するバルブ外側回転体２４、および、バルブ内側回転体３２と、バルブ内側回転体３２の突起部３４との噛み合わせにより回転する薬剤供給回転体３５とを備えている。
【００４６】
バルブ外側回転体２４とバルブ内側回転体３２は、略円形であり円の中心を回転中心として回転する。薬剤供給回転体３５は、円形の歯車形状で円の中心を回転中心とするが、図示しない接合部材を介して図示しないバルブ下側ふたに回転可能な状態で固定されている。
【００４７】
バルブ外側回転体２４は、ろ過処理（図３（ａ））の際に薬剤出口１３から薬剤１４を取り入れるための薬剤収納孔３３を備えている。
【００４８】
薬剤供給回転体３５は、薬剤１４をケーシング７内に供給するための薬剤供給孔３６を備えており、薬剤供給孔３６は薬剤供給回転体を貫通しており、開口の一方がバルブ外側回転体２４に面しており、他方がケーシング７に面している。
【００４９】
水路切替手段１１の回転操作により、突起部３４を有するバルブ内側回転体３２が回転し、突起部３４と薬剤供給回転体３５が噛み合うことで、バルブ内側回転体３２と機構的に連動して薬剤供給回転体３５が回転する。バルブ内側回転体３２と薬剤供給回転体３５の回転により、薬剤収納孔３３と薬剤供給孔３６の位置が一致する場合に、薬剤収納孔３３に収納された薬剤１４が、薬剤供給孔３６を介して、ケーシング７内に供給される。
【００５０】
本実施の形態では、突起部３４と薬剤供給回転体３５が８回噛み合い、薬剤供給回転体３５が一回転することで、薬剤収納孔３３と薬剤供給孔３６が再び一致し、ケーシング７内に薬剤１４が供給される。
【００５１】
水路切替手段１１の一定期間ごとに行う際の操作手順にしたがって、薬剤供給にかかわるバルブ９の機構について説明する。
【００５２】
図３（ａ）は、水路切替手段１１を操作する前の、ろ過処理の際のバルブ９の機構を示す模式図である。この際、薬剤供給手段１０の底部に配置する薬剤出口１３と、薬剤収納孔３３の位置が一致し、薬剤１４が薬剤収納孔３３に収納される。薬剤収納孔３３はバルブ外側回転体２４を貫通しているが、バルブ外側回転体２４とケーシング７の間には図示しない遮蔽部材があるので、薬剤１４は薬剤収納孔３３にとどまっている。
【００５３】
図３（ｂ）は、水路切替手段１１を図３（ａ）の状態から矢印の方向に９０°回転させることで、ろ過処理位置から逆洗浄処理位置に切り替えた後の、逆洗処理の際のバルブ９の機構を示す模式図である。この際、薬剤１４が薬剤収納孔３３に収納されたまま移動している。
【００５４】
図３（ｃ）は、水路切替手段１１を図３（ｂ）の状態から矢印の方向に９０°回転させることで、逆洗浄処理位置からすすぎ処理位置に切り替えた後の、すすぎ処理の際のバルブ９の機構を示す模式図である。この際、突起部３４と薬剤供給回転体３５は噛み合い、破線矢印の方向に薬剤供給回転体３５が回転する。薬剤供給回転体３５の回転により、薬剤収納孔３３と薬剤供給孔３６の位置が重なると、薬剤収納孔３３に収納された薬剤１４が、薬剤供給孔３６を介して、ケーシング７内に供給される。本実施の形態では、突起部３４と薬剤供給回転体３５が８回噛み合うごとに、薬剤収納孔３３と薬剤供給孔３６の位置が一致し、薬剤１４がケーシング７内に供給される。
【００５５】
図３（ｄ）は図３（ｃ）と同様にすすぎ処理の際のバルブ９の機構を示す模式図であるが、薬剤供給回転体３５の薬剤供給孔３６と薬剤収納孔３３が一致しておらず、薬剤１４がケーシング７に供給されない状態を示している。
【００５６】
このような構成によれば、上部を開口し、ろ材を内部に収納して水の出し入れを行うケーシング７と、開口８を閉塞し、複数の水路を切替可能なバルブ９と、被処理水に薬剤１４を供給するための薬剤供給手段１０とを有し、バルブ９は、ろ過処理、逆洗浄処理、すすぎ処理に対応して水路を選択的に切替可能な水路切替手段１１を有し、薬剤供給手段１０は、薬剤保持部１２と、ケーシング７の内側空間内に薬剤１４を供給するための薬剤出口１３とを有し、薬剤供給手段１０からの薬剤供給が、水路切替手段１１の操作に機構的に連動して行われる構成にしたことにより、ろ過処理、逆洗浄処理、すすぎ処理の水路のうち、薬剤１４の供給が必要となる水路に切り替える際の水路切替手段１１の操作に機構的に連動して薬剤１４が供給される。このため、電力制御を必要としない簡単な構成で必要に応じた薬剤供給を可能とすることができる。
【００５７】
また、薬剤供給が、逆洗浄処理、または、すすぎ処理の際に行われるようにすることで、薬剤の供給が必要となる逆洗浄処理またはすすぎ処理の際に薬剤を供給することができるので、電力制御を必要としない簡単な構成で、必要に応じた薬剤供給を可能とすることができる。
【００５８】
さらに、薬剤供給手段１０からの薬剤供給が、逆洗浄処理、または、すすぎ処理の複数回ごとに行われるようにすることで、逆洗浄処理、または、すすぎ処理に水路に切り替える際で、かつ、薬剤１４の供給が必要なタイミングで薬剤を供給することができるので、電力制御を必要としない簡単な構成で、必要に応じた薬剤供給を可能とすることができる。
【００５９】
なお、本実施の形態において、突起部３４と薬剤供給回転体３５が８回噛み合うごとに、薬剤１４がケーシング７内に１回供給されるように、歯車形状の歯が８個の薬剤供給回転体３５と、１個の薬剤供給孔３６を備える構成としたが、原水の水質に応じて薬剤の最適な供給タイミングや頻度は異なるので、歯車形状の歯の数や薬剤供給孔の数を変えて構成してもよい。一例として、歯車の歯を１０個にして、２つの薬剤供給孔３６を備える構成とすれば、１０回のすすぎ処理のうち２回で薬剤が供給されることとなる。
【産業上の利用可能性】
【００６０】
本発明にかかる水処理装置は、電力制御を必要としない簡単な構成で必要に応じた薬剤供給を可能とするものであるので、井戸の水または貯水槽へ蓄えた水等に含まれる濁質成分の除去などにより水の浄化を行う水処理装置として有用である。
【符号の説明】
【００６１】
１    水処理装置
２    配管
３    電動式ポンプ
４    原水通路
５    浄水通路
６    排水通路
７    ケーシング
８    開口
９    バルブ
１０    薬剤供給手段
１１    水路切替手段
１２    薬剤保持部
１３    薬剤出口
１４    薬剤
１５    粒子状ろ材
１６    原水接続口
１７    浄水接続口
１８    排水接続口
１９    バルブ外側接続口
２０    バルブ内側接続口
２１    導出管
２２    上部ストレーナー
２３    下部ストレーナー
２４    バルブ外側回転体
２５    バルブ下側ふた
３２    バルブ内側回転体
３３    薬剤収納孔
３４    突起部
３５    薬剤供給回転体
３６    薬剤供給孔
【図１】
2017148756.tif 000003
【図２】
2017148756.tif 000004
【図３】
2017148756.tif 000005
【図４】
2017148756.tif 000006